(57)【要約】【課題】  非接触プリペイドカードを利用し、盗難が防止できる給油システムを提供する。【解決手段】  非接触プリペイドカードは、自己を特定するための識別子と残金額とを記録している。非接触読取部２０１は、非接触プリペイドカードから識別子と残金額とを非接触で読み取り、その後、非接触プリペイドカードに残金額として零を非接触で書き込む。給油完了後、制御部２０２は、残金額から給油料金を引いた給油後残金額を算出する。非接触書込部は、給油後残金額を非接触プリペイドカードに非接触で書き込む。【選択図】      図２
2006331099.tif 000002
【特許請求の範囲】
【請求項１】
給油を行う給油装置と、前記給油装置にて行われた給油の給油量に相当する給油料金の決済を行う決済装置と、を含む給油システムであって、
前記給油装置は、
自己を特定するための識別子と残金額とを記録している記録媒体から、前記識別子と前記残金額とを非接触で読み取り、その後、前記記録媒体に前記残金額として零を非接触で書き込む引落手段と、
前記引落手段にて前記記録媒体に前記零が非接触で書き込まれると、給油可能となる給油手段と、
前記給油手段にて行われた給油が完了すると、前記給油料金を算出する算出手段と、
前記引落手段にて読み取られた残金額から前記算出手段にて算出された給油料金を差し引いた給油後残金額を算出する制御手段と、
前記引落手段にて読み取られた識別子と、前記制御手段にて算出された給油後残金額と、を互いに関連づけて記憶する記憶手段と、
を含み、
前記決済装置は、
前記記録媒体に情報の読み書きを行う読書き手段と、
前記読書き手段にて前記記録媒体から前記識別子が読み取られると、読み取られた識別子と関連づけられた給油後残金額を前記記憶手段から取得し、取得した給油後残金額を、非接触で前記読書き手段にて前記記録媒体に書き込ませて、前記給油料金の決済を行う決済手段と、
を含む給油システム。
【請求項２】
請求項１に記載の給油システムにおいて、
前記決済装置は、
各種情報を表示する表示手段と、
ユーザからの入力を受け付けるユーザ入力手段と、
現金を格納する現金格納手段と、
前記現金格納手段にて格納された現金を出力する現金出力手段と、
をさらに含み、
前記決済手段は、
前記給油後残金額を前記記憶手段から取得すると、取得した給油後残金額を前記記録媒体に書き込ませる旨の書込み指示と、取得した給油後残金額に相当する現金を払い戻す旨の払戻し指示と、のいずれかの選択をユーザに要求する旨の選択要求を、前記表示部に表示させ、前記ユーザ入力手段が前記払戻し指示を受け付けた場合には、前記給油後残金額に相当する現金を、前記現金出力手段に前記現金格納手段から出力させて、前記給油料金の決済を行い、前記ユーザ入力手段が前記書込み指示を受け付けた場合には、前記給油後残金額を、非接触で前記読書き手段にて前記記録媒体に書き込ませて、前記給油料金の決済を行う、
給油システム。
【請求項３】
請求項２に記載の給油システムにおいて、
前記決済装置は、
ユーザから現金を受け付け、受け付けた現金を前記現金格納手段に格納する現金入力手段、
をさらに含み、
前記決済手段は、
前記給油後残金額を前記記憶手段から取得すると、前記記録媒体に金額を追加するか否かの判断を前記ユーザに要求する旨の追加判断要求を、前記表示手段に表示させ、前記追加判断要求が表示されている間に、前記現金入力手段が現金を受け付けると、受け付けた現金の金額に前記給油後残金額を加えた追加後残金額を算出し、算出した追加後残金額を、非接触で前記読書き手段にて前記記録媒体に書き込ませて、前記給油料金の決済を行う、
給油システム。
【請求項４】
請求項１ないし３のいずれか１項に記載の給油システムにおいて、
前記給油装置と異なる場所に設置された他店舗給油装置と、
前記決済装置と異なる場所に設置され、前記他店舗給油装置と接続された他店舗決済装置と、
をさらに含み、
前記給油装置は、
前記記憶手段が前記識別子と前記給油後残金額とを互いに関連づけて記憶した後、所定の時間が経過すると、前記所定の時間内に前記決済手段にて前記給油料金の決済が行われたか否かを確認する確認手段、
をさらに含み、
前記制御手段は、
前記確認手段にて前記給油料金の決済が行われていないと確認されると、決済が行われていないと確認された給油料金を前記残金額から差し引き算出した前記給油後残金額と、該給油後残金額と関連づけられた識別子と、を前記他店舗決済装置に送信し、
前記他店舗給油装置は、
前記制御手段から前記識別子と前記給油後残金額とを受け付け、受け付けた識別子と給油後残金額と、を互いに関連づけて記憶する他店舗記憶手段、
を含み、
前記他店舗決済装置は、
前記記録媒体に情報の読み書きを行う他店舗読書き手段と、
前記他店舗読書き手段にて前記記録媒体から前記識別子が読み取られると、読み取られた識別子と関連づけられた前記給油後残金額を前記他店舗記憶手段から取得し、取得した前記給油後残金額を、非接触で前記他店舗読書き手段にて前記記録媒体に書き込ませて、前記給油料金の決済を行う他店舗決済手段と、
を含む給油システム。
【請求項５】
給油を行う給油装置と、前記給油装置にて行われた給油の給油量に相当する給油料金の決済を行う決済装置と、を含む給油システムの行う決済方法であって、
前記給油装置が、自己を特定するための識別子と残金額とを記録している記録媒体から、前記識別子と前記残金額とを非接触で読み取り、その後、前記記録媒体に前記残金額として零を非接触で書き込む引落ステップと、
前記給油装置が、前記引落ステップにて前記記録媒体に前記零が非接触で書き込まれると、給油可能となる給油ステップと、
前記給油装置が、前記給油ステップにて行われた給油が完了すると、前記給油料金を算出する算出ステップと、
前記給油装置が、前記引落ステップにて読み取られた残金額から前記算出ステップにて算出された給油料金を差し引いた給油後残金額を算出する制御ステップと、
前記給油装置が、前記引落ステップにて読み取られた識別子と、前記制御手段にて算出された給油後残金額と、を互いに関連づけて記憶する記憶ステップと、
前記決済装置が、前記記録媒体に情報の読み書きを行う読書きステップと、
前記決済装置が、前記読書きステップにて前記記録媒体から前記識別子が読み取られると、読み取られた識別子と関連づけられた給油後残金額を前記給油装置から取得し、取得した給油後残金額を、非接触で前記記録媒体に書き込んで、前記給油料金の決済を行う決済ステップと、
を含む決済方法。
【請求項６】
請求項５に記載の決済方法において、
前記決済ステップは、
前記決済装置が、前記給油後残金額を前記給油装置から取得すると、取得した給油後残金額を前記記録媒体に書き込ませる旨の書込み指示と、取得した給油後残金額に相当する現金を払い戻す旨の払戻し指示と、のいずれかの選択をユーザに要求する旨の選択要求を表示する選択要求表示ステップと、
前記決済装置が、ユーザからの入力を受け付けるユーザ入力ステップ、
前記決済装置が、前記ユーザ入力ステップにて前記払戻し指示が受け付けられた場合には、前記給油後残金額に相当する現金を出力して、前記給油料金の決済を行う現金出力ステップと、
前記決済装置が、前記ユーザ入力ステップにて前記書込み指示が受け付けられた場合には、前記給油後残金額を、非接触で前記記録媒体に書き込んで、前記給油料金の決済を行う書込ステップと、
を含む決済方法。
【請求項７】
請求項６に記載の決済方法において、
前記決済ステップは、
前記決済装置が、前記給油後残金額を前記給油装置から取得すると、前記記録媒体に金額を追加するか否かの判断を前記ユーザに要求する旨の追加判断要求を表示する判断要求表示ステップと、
前記決済装置が、前記追加判断要求が表示されている間に、ユーザから現金を受け付ける現金入力ステップと、
前記決済装置が、前記現金入力ステップにて現金が受け付けられると、受け付けられた現金の金額に前記給油後残金額を加えた追加後残金額を算出する残金額算出ステップと、
前記決済装置が、前記残金額算出ステップにて算出された追加後残金額を、非接触で前記記録媒体に書き込んで、前記給油料金の決済を行う追加後書込ステップと、
を含む決済方法。
【請求項８】
請求項５ないし７のいずれか１項に記載の決済方法において、
前記給油システムは、前記給油装置と異なる場所に設置された他店舗給油装置と、
前記決済装置と異なる場所に設置され、前記他店舗給油装置と接続された他店舗決済装置と、をさらに含み、
前記給油装置が、前記識別子と前記給油後残金額とが互いに関連づけられて記憶された後、所定の時間が経過すると、前記所定の時間内に前記決済ステップにて前記給油料金の決済が行われたか否かを確認する確認ステップ、
をさらに含み、
前記制御ステップでは、
前記給油装置が、前記確認ステップにて前記給油料金の決済が行われていないと確認されると、決済が行われていないと確認された給油料金を前記残金額から差し引き算出した前記給油後残金額と、該給油後残金額と関連づけられた識別子と、を前記他店舗決済装置に送信し、
前記他店舗給油装置が、前記制御ステップにて送信された前記識別子と前記給油後残金額とを受け付け、受け付けた識別子と給油後残金額とを互いに関連づけて記憶する他店舗記憶ステップと、
前記他店舗決済装置が、前記記録媒体に情報の読み書きを行う他店舗読書きステップと、
前記他店舗決済装置が、前記他店舗読書きステップにて前記記録媒体から前記識別子が読み取られると、読み取られた識別子と関連づけられた前記給油後残金額を前記他店舗給油装置から取得し、取得した前記給油後残金額を、非接触で前記記録媒体に書き込んで、前記給油料金の決済を行う他店舗決済ステップと、
をさらに含む決済方法。
【発明の詳細な説明】
【技術分野】
【０００１】
本発明は、給油システムおよび決済方法に関する。
【背景技術】
【０００２】
セルフサービス方式が採用されている給油所において、接触式のプリペイドカードにて料金の決済を行う給油システムが提案されている。
【０００３】
例えば、特許文献１（特開平１０−３２９８９６号公報）には、前金として支払った金額を記録した前売りカード（プリペイドカード）が、給油の制御を行う操作端末装置に挿入されると給油可能となる、ガソリンスタンド給油装置が記載されている。なお、給油中、前売りカードは、操作端末装置内に保持される。このガソリンスタンド給油装置では、給油完了後に、操作端末装置内に保持されている前売りカードが記録した残金額から、給油量に相当する給油料金が差し引かれ、差し引かれた後の給油後残金額が前売りカードに記録される。
【特許文献１】特開平１０−３２９８９６号公報
【発明の開示】
【発明が解決しようとする課題】
【０００４】
近年、非接触式のプリペイドカードが様々な場所で利用されている。
【０００５】
セルフサービス方式が採用されている給油所において、ユーザが非接触式のプリペイドカードを使用する場合、非接触式のプリペイドカードは、操作端末装置に保持され続けることがない（技術的には可能だが、非接触式のプリペイドカードの利便性が失われる）。したがって、給油料金が差し引かれるためには、給油完了後に、ユーザが非接触式のプリペイドカードに記憶された残金額を操作端末装置に読み取らせる必要がある。しかし、ユーザが残金額を操作端末装置に読み取らせるか否かは、ユーザの意思で決定される。
【０００６】
このため、ユーザは、非接触式のプリペイドカードに記憶された残金額を操作端末装置に読み取らせずに、すなわち、決済を行わずに、給油所を立ち去ることが可能になる。よって、非接触式のプリペイドカードを利用した場合、給油所にて販売される油が、ユーザに盗難される可能性がある。
【０００７】
本発明の目的は、非接触式のプリペイドカードを利用し、かつ、盗難が防止できる給油システムおよび決済方法を提供することである。
【課題を解決するための手段】
【０００８】
前記目的を達成するために、本発明の給油システムは、給油を行う給油装置と、前記給油装置にて行われた給油の給油量に相当する給油料金の決済を行う決済装置と、を含む給油システムであって、前記給油装置は、自己を特定するための識別子と残金額とを記録している記録媒体から、前記識別子と前記残金額とを非接触で読み取り、その後、前記記録媒体に前記残金額として零を非接触で書き込む引落手段と、前記引落手段にて前記記録媒体に前記零が非接触で書き込まれると、給油可能となる給油手段と、前記給油手段にて行われた給油が完了すると、前記給油料金を算出する算出手段と、前記引落手段にて読み取られた残金額から前記算出手段にて算出された給油料金を差し引いた給油後残金額を算出する制御手段と、前記引落手段にて読み取られた識別子と、前記制御手段にて算出された給油後残金額と、を互いに関連づけて記憶する記憶手段と、を含み、前記決済装置は、前記記録媒体に情報の読み書きを行う読書き手段と、前記読書き手段にて前記記録媒体から前記識別子が読み取られると、読み取られた識別子と関連づけられた給油後残金額を前記記憶手段から取得し、取得した給油後残金額を、非接触で前記読書き手段にて前記記録媒体に書き込ませて、前記給油料金の決済を行う決済手段と、を含む。
【０００９】
また、本発明の決済方法は、給油を行う給油装置と、前記給油装置にて行われた給油の給油量に相当する給油料金の決済を行う決済装置と、を含む給油システムの行う決済方法であって、前記給油装置が、自己を特定するための識別子と残金額とを記録している記録媒体から、前記識別子と前記残金額とを非接触で読み取り、その後、前記記録媒体に前記残金額として零を非接触で書き込む引落ステップと、前記給油装置が、前記引落ステップにて前記記録媒体に前記零が非接触で書き込まれると、給油可能となる給油ステップと、前記給油装置が、前記給油ステップにて行われた給油が完了すると、前記給油料金を算出する算出ステップと、前記給油装置が、前記引落ステップにて読み取られた残金額から前記算出ステップにて算出された給油料金を差し引いた給油後残金額を算出する制御ステップと、前記給油装置が、前記引落ステップにて読み取られた識別子と、前記制御手段にて算出された給油後残金額と、を互いに関連づけて記憶する記憶ステップと、前記決済装置が、前記記録媒体に情報の読み書きを行う読書きステップと、前記決済装置が、前記読書きステップにて前記記録媒体から前記識別子が読み取られると、読み取られた識別子と関連づけられた給油後残金額を前記給油装置から取得し、取得した給油後残金額を、非接触で前記記録媒体に書き込んで、前記給油料金の決済を行う決済ステップと、を含む決済方法。
【００１０】
前記発明によれば、記録媒体に記録されている残金額が非接触で読み取られ、その後、記録媒体に残金額として零が非接触で書き込こまれると、給油が可能になる。給油が完了すると、読み取られた残金額から給油料金を差し引いた給油後残金額が、非接触で記録媒体に書き込まれる。これにより、記録媒体に記録された残金額が給油開始前に零になり、給油完了後に、給油後残金額が記録媒体に記録される。したがって、給油所にて販売される油の盗難が防止できる。
【００１１】
また、本発明の給油システムは、前記決済装置は、各種情報を表示する表示手段と、ユーザからの入力を受け付けるユーザ入力手段と、現金を格納する現金格納手段と、前記現金格納手段にて格納された現金を出力する現金出力手段と、をさらに含み、前記決済手段は、前記給油後残金額を前記記憶手段から取得すると、取得した給油後残金額を前記記録媒体に書き込ませる旨の書込み指示と、取得した給油後残金額に相当する現金を払い戻す旨の払戻し指示と、のいずれかの選択をユーザに要求する旨の選択要求を、前記表示部に表示させ、前記ユーザ入力手段が前記払戻し指示を受け付けた場合には、前記給油後残金額に相当する現金を、前記現金出力手段に前記現金格納手段から出力させて、前記給油料金の決済を行い、前記ユーザ入力手段が前記書込み指示を受け付けた場合には、前記給油後残金額を、非接触で前記読書き手段にて前記記録媒体に書き込ませて、前記給油料金の決済を行うことが望ましい。
【００１２】
また、本発明の決済方法は、前記決済ステップは、前記決済装置が、前記給油後残金額を前記給油装置から取得すると、取得した給油後残金額を前記記録媒体に書き込ませる旨の書込み指示と、取得した給油後残金額に相当する現金を払い戻す旨の払戻し指示と、のいずれかの選択をユーザに要求する旨の選択要求を表示する選択要求表示ステップと、前記決済装置が、ユーザからの入力を受け付けるユーザ入力ステップと、前記決済装置が、前記ユーザ入力ステップにて前記払戻し指示が受け付けられた場合には、前記給油後残金額に相当する現金を出力して、前記給油料金の決済を行う現金出力ステップと、前記決済装置が、前記ユーザ入力ステップにて前記書込み指示が受け付けられた場合には、前記給油後残金額を、非接触で前記記録媒体に書き込んで、前記給油料金の決済を行う書込ステップと、を含むことが望ましい。
【００１３】
前記発明によれば、給油後残金額に相当する現金が出力される。これにより、ユーザは、給油後に、給油後残金額に相当する現金を受け取ることが可能になる。
【００１４】
また、本発明の給油システムは、前記決済装置は、ユーザから現金を受け付け、受け付けた現金を前記現金格納手段に格納する現金入力手段、をさらに含み、前記決済手段は、前記給油後残金額を前記記憶手段から取得すると、前記記録媒体に金額を追加するか否かの判断を前記ユーザに要求する旨の追加判断要求を、前記表示手段に表示させ、前記追加判断要求が表示されている間に、前記現金入力手段が現金を受け付けると、受け付けた現金の金額に前記給油後残金額を加えた追加後残金額を算出し、算出した追加後残金額を、非接触で前記読書き手段にて前記記録媒体に書き込ませて、前記給油料金の決済を行うことが望ましい。
【００１５】
また、本発明の決済方法は、前記決済ステップは、前記決済装置が、前記給油後残金額を前記給油装置から取得すると、前記記録媒体に金額を追加するか否かの判断を前記ユーザに要求する旨の追加判断要求を表示する判断要求表示ステップと、前記決済装置が、前記追加判断要求が表示されている間に、ユーザから現金を受け付ける現金入力ステップと、前記決済装置が、前記現金入力ステップにて現金が受け付けられると、受け付けられた現金の金額に前記給油後残金額を加えた追加後残金額を算出する残金額算出ステップと、前記決済装置が、前記残金額算出ステップにて算出された追加後残金額を、非接触で前記記録媒体に書き込んで、前記給油料金の決済を行う追加後書込ステップと、を含むことが望ましい。
【００１６】
前記発明によれば、現金の金額に給油後残金額を加えた追加後残金額が、記録媒体に非接触で書き込まれる。これにより、ユーザは、記録媒体に記録する残金額を増やすことが可能になる。
【００１７】
また、本発明の給油システムは、前記給油装置と異なる場所に設置された他店舗給油装置と、前記決済装置と異なる場所に設置され、前記他店舗給油装置と接続された他店舗決済装置と、をさらに含み、前記給油装置は、前記記憶手段が前記識別子と前記給油後残金額とを互いに関連づけて記憶した後、所定の時間が経過すると、前記所定の時間内に前記決済手段にて前記給油料金の決済が行われたか否かを確認する確認手段、をさらに含み、前記制御手段は、前記確認手段にて前記給油料金の決済が行われていないと確認されると、決済が行われていないと確認された給油料金を前記残金額から差し引き算出した前記給油後残金額と、該給油後残金額と関連づけられた識別子と、を前記他店舗決済装置に送信し、前記他店舗給油装置は、前記制御手段から前記識別子と前記給油後残金額とを受け付け、受け付けた識別子と給油後残金額と、を互いに関連づけて記憶する他店舗記憶手段、を含み、前記他店舗決済装置は、前記記録媒体に情報の読み書きを行う他店舗読書き手段と、前記他店舗読書き手段にて前記記録媒体から前記識別子が読み取られると、読み取られた識別子と関連づけられた前記給油後残金額を前記他店舗記憶手段から取得し、取得した前記給油後残金額を、非接触で前記他店舗読書き手段にて前記記録媒体に書き込ませて、前記給油料金の決済を行う他店舗決済手段と、を含むことが望ましい。
【００１８】
また、本発明の決済方法は、前記給油システムは、前記給油装置と異なる場所に設置された他店舗給油装置と、前記決済装置と異なる場所に設置され、前記他店舗給油装置と接続された他店舗決済装置と、をさらに含み、前記給油装置が、前記識別子と前記給油後残金額とが互いに関連づけられて記憶された後、所定の時間が経過すると、前記所定の時間内に前記決済ステップにて前記給油料金の決済が行われたか否かを確認する確認ステップ、をさらに含み、前記制御ステップでは、前記給油装置が、前記確認ステップにて前記給油料金の決済が行われていないと確認されると、決済が行われていないと確認された給油料金を前記残金額から差し引き算出した前記給油後残金額と、該給油後残金額と関連づけられた識別子と、を前記他店舗決済装置に送信し、前記他店舗給油装置が、前記制御ステップにて送信された前記識別子と前記給油後残金額とを受け付け、受け付けた識別子と給油後残金額とを互いに関連づけて記憶する他店舗記憶ステップと、前記他店舗決済装置が、前記記録媒体に情報の読み書きを行う他店舗読書きステップと、前記他店舗決済装置が、前記他店舗読書きステップにて前記記録媒体から前記識別子が読み取られると、読み取られた識別子と関連づけられた前記給油後残金額を前記他店舗給油装置から取得し、取得した前記給油後残金額を、非接触で前記記録媒体に書き込んで、前記給油料金の決済を行う他店舗決済ステップと、をさらに含むことが望ましい。
【００１９】
前記発明によれば、所定の時間が経過後、決済が行われていないと、識別子と給油後残金額とが互いに関連づけられて他店舗給油装置に記憶される。他店舗決済装置にて識別子が読み取られると、読み取られた識別子と関連づけられた給油後残金額が記録媒体に書き込まれる。これにより、ユーザが決済を行わずに給油所を立ち去った場合、ユーザは、その後、他の給油所に立ち寄った際に、給油後残金額を記録媒体に書き込ませることできる。したがって、ユーザは、決済を行わずに給油所を立ち去った場合、後に、他の給油所でも決済を行うことが可能になる。
【発明の効果】
【００２０】
本発明によれば、非接触プリペイドカードを利用し、かつ、盗難の防止可能な給油システムを構築することができる。
【発明を実施するための最良の形態】
【００２１】
以下、本発明の実施例について図面を参照して説明する。
【００２２】
図１は、本発明の給油システムの一実施例を示したブロック図である。
【００２３】
図１において、給油システムは、非接触プリペイドカード１と、給油端末装置２Aないし２Ｃと、チャージ装置３Ａおよび３Ｂと、サーバ４と、他店舗サーバ５Ａないし５Ｃと、他店舗給油端末装置６Aないし６Cと、他店舗チャージ装置７Ａないし７Ｃ、とローカルネットワーク網８と、ネットワーク網９と、を含む。
【００２４】
なお、給油端末装置２Aないし２Cと、チャージ装置３Ａおよび３Ｂと、他店舗サーバ５Ａないし５Ｃと、他店舗給油端末装置６Aないし６Cと、他店舗チャージ装置７Ａないし７Ｃと、の数は限定されない。
【００２５】
例えば、他店舗給油端末装置は、各店舗に複数配置されても良い。
【００２６】
非接触プリペイドカード１は、自己を特定するための識別子（例えば、シリアルナンバー）と、残金額と、を記録している。
【００２７】
給油端末装置２Aないし２Cは、給油を行う。
【００２８】
図２は、給油端末装置２Aないし２Cの構成を示したブロック図である。なお、給油端末装置２Aないし２Cは全て同じ構成のため、給油端末装置２Aを例に説明を行う。
【００２９】
図２において、給油端末装置２Aは、非接触読取部２０１と、制御部２０２と、端末表示部２０３と、入力部２０４と、認証情報記憶部２０５と、給油部２０６と、給油料金計算部２０７と、領収書発行部２０８と、端末送受信部２０９と、記憶部２１０と、確認部２１１とを含む。
【００３０】
非接触読取部２０１は、非接触プリペイドカード１に記録された識別子を読み取り、読み取った識別子を制御部２０２に出力する。
【００３１】
端末表示部２０３は、例えば、液晶ディスプレイであり、各種情報を表示する。
【００３２】
制御部２０２は、非接触読取部２０１から識別子を受け付けると、ユーザにパスワードの入力を要求する旨のパスワード入力要求を、端末表示部２０３に表示させる。
【００３３】
入力部２０４は、ユーザからパスワードを受け付けると、受け付けたパスワードを制御部２０２に出力する。
【００３４】
認証情報記憶部２０５は、非接触プリペイドカード１を識別するための識別子と、該識別子にて識別される非接触プリペイドカード１の認証を行うためのパスワードと、を関連づけて記憶する。
【００３５】
なお、このパスワードは、ユーザにて設定される。
【００３６】
制御部２０２は、入力部２０４からパスワードを受け付けると、非接触読取部２０１から受け付けた識別子と関連づけられたパスワードを、認証情報記憶部２０５から取得する。
【００３７】
制御部２０２は、入力部２０４から受け付けたパスワードと、認証情報記憶部２０５から取得したパスワードと、が一致しているか否かの判断を行う。
【００３８】
これらのパスワードが一致していると判断された場合、制御部２０２は、非接触プリペイドカード１に記録された残金額を取得する旨の残金額取得要求を、非接触読取部２０１に出力する。
【００３９】
一方、これらのパスワードが一致していないと判断された場合、制御部２０２は、入力されたパスワードが間違っている旨の認証不許可情報を、端末表示部２０３に表示させる。
【００４０】
非接触読取部２０１は、制御部２０２から残金額取得要求を受け付けると、非接触プリペイドカード１に記録された残金額を非接触で全額引き落とす。具体的には、非接触読取部２０１は、非接触プリペイドカード１に記録された残金額を非接触で読み取り、その後、非接触プリペイドカード１に残金額として零を非接触で書き込む。
【００４１】
非接触読取部２０１は、読み取った残金額を制御部２０２に出力する。
【００４２】
制御部２０２は、非接触読取部２０１から残金額を受け付けると、受け付けた残金額にて購買可能な可能給油量を算出する。具体的には、制御部２０２は、油の単価を保持し、受け付けた残金額を保持している油の単価で除算することにより、可能給油量を算出する。
【００４３】
例えば、残金額が「５００円」であり、油の１リットル当たりの単価が「１００円」である場合、可能給油量は「５リットル」となる。
【００４４】
制御部２０２は、可能給油量を算出すると、算出した可能給油量を端末表示部２０３に表示させると共に、給油部２０６を給油可能な状態（例えば、給油を行うためのノズルの弁を開いた状態）にする。
【００４５】
給油部２０６は、ユーザの操作に従い、給油を行う。
【００４６】
制御部２０２は、給油部２０６にて給油された給油量を監視し、給油された給油量が可能給油量になると、給油部２０６にて行われている給油を（例えば、給油を行うためのノズルの弁を閉じた状態にして）停止させる。
【００４７】
給油料金計算部２０７は、給油部２０６にて給油された給油量に相当する給油料金を産出する。
【００４８】
例えば、給油料金計算部２０７は、油の単価を保持し、給油部２０６にて給油された油の給油量を検知する。給油料金計算部２０７は、検知した給油量と保持した油の単価とを乗算することにより、給油料金を算出する。
【００４９】
給油料金計算部２０７は、算出した給油料金を制御部２０２に出力する。
【００５０】
制御部２０２は、給油料金計算部２０７から給油料金を受け付けると、受け付けた給油料金を記載した領収書兼レシートを、領収書発行部２０８に発行させる。
【００５１】
制御部２０２は、残金額から給油料金を差し引いた給油後残金額を算出する。
【００５２】
制御部２０２は、給油後残金額を算出すると、非接触読取部２０１から受け付けた識別子と、算出した給油後残金額と、を記憶部２１０に出力する。
【００５３】
記憶部２１０は、制御部２０２から識別子と給油後残金額とを受け付けると、受け付けた識別子と給油後残金額とを互いに関連づけて記憶する。
【００５４】
また、制御部２０２は、非接触読取部２０１から受け付けた識別子が記憶部２１０に記憶されているか否かを、所定の時間が経過すると確認させる設定を、確認部２１１に行う。
【００５５】
チャージ装置３Ａおよび３Ｂは、給油端末装置２Ａないし２Ｃに記憶された給油後残金額を取得し、取得した給油後残金額を非接触プリペイドカード１に書き込む、あるいは、取得した給油後残金額に相当する現金をユーザに支払う。
【００５６】
図３は、チャージ装置３Ａおよび３Ｂの構成を示したブロック図である。なお、チャージ装置３Ａおよび３Ｂの構成は同一のため、チャージ装置３Ａを例に説明する。
【００５７】
図３において、チャージ装置３Ａは、送受信部３０１と、管理部３０２と、現金格納部３０３と、現金入出力部３０４と、非接触書込部３０５と、表示部３０６と、ユーザ入力部３０７とを含む。
【００５８】
非接触書込部３０５は、非接触プリペイドカード１に記録された識別子を読み取り、読み取った識別子を管理部３０２に出力する。
【００５９】
管理部３０２は、非接触書込部３０５から識別子を受け付けると、受け付けた識別子と関連づけられて、記憶部２１０にて記憶された給油後残金額を取得する旨の給油後残金額取得要求を、送受信部３０１に出力する。
【００６０】
ローカルネットワーク網８は、例えば、ＬＡＮ（Local Area Network）であり、給油端末装置２Ａないし２Ｃと、チャージ装置３Ａおよび３Ｂと、サーバ４と相互に接続されている。
【００６１】
送受信部３０１は、管理部３０２から給油後残金額取得要求を受け付けると、受け付けた給油後残金額取得要求を、給油端末装置２Ａないし２Ｂの端末送受信部２０９に、ローカルネットワーク網８を介して送信する。
【００６２】
端末送受信部２０９は、送受信部３０１からローカルネットワーク網８を介して給油後残金額取得要求を受け付けると、受け付けた給油後残金額取得要求を制御部２０２に出力する。
【００６３】
制御部２０２は、端末送受信部２０９から給油後残金額取得要求を受け付けると、受け付けた給油後残金額取得要求が示す給油後残金額を記憶部２１０から取得する。
【００６４】
制御部２０２は、給油後残金額を取得すると、取得した給油後残金額を端末送受信部２０９に出力する。
【００６５】
端末送受信部２０９は、制御部２０２から給油後残金額を受け付けると、受け付けた給油後残金額を、チャージ装置３Ａの送受信部３０１に、ローカルネットワーク網８を介して送信する。
【００６６】
送受信部３０１は、端末送受信部２０９からローカルネットワーク網８を介して給油後残金額を受け付けると、受け付けた給油後残金額を管理部３０２に出力する。
【００６７】
管理部３０２は、送受信部３０１から給油後残金額を受け付けると、給油後残金額を非接触プリペイドカード１に書き込ませる旨の書込み指示と、給油後残金額に相当する現金を払い戻す旨の払戻し指示と、のどちらか一方の選択をユーザに要求する旨の選択要求を、給油後残金額と共に表示部３０６に表示させる。
【００６８】
ユーザ入力部３０７は、ユーザからの入力を受け付ける。
【００６９】
ユーザ入力部３０７は、ユーザから書込み指示を受け付けると、受け付けた書込み指示を管理部３０２に出力する。
【００７０】
管理部３０２は、ユーザ入力部３０７から書込み指示を受け付けると、非接触プリペイドカード１に書き込ませる給油後残金額に金額を追加するか否かの判断をユーザに要求する旨の追加判断要求を、給油後残金額と共に表示部３０６に表示させる。
【００７１】
追加判断要求は、例えば、「カードに金額を追加しますか？ 追加する場合は、現金窓口（現金入力部３０４Ａ）にお金をお入れください」である。
【００７２】
ユーザ入力部３０７は、ユーザから、非接触プリペイドカード１に書き込ませる給油後残金額に、金額を追加しない旨の非追加情報を受け付けると、受け付けた非追加情報を管理部３０２に出力する。
【００７３】
管理部３０２は、ユーザ入力部３０７から非追加情報を受け付けると、非接触書込部３０５に給油後残金額を出力する。
【００７４】
非接触書込部３０５は、管理部３０２から給油後残金額を受け付けると、受け付けた給油後残金額を非接触プリペイドカード１に非接触で書き込むと共に、決済が完了した旨の決済完了情報を、管理部３０２に出力する。
【００７５】
現金格納部３０３は、現金を格納する。
【００７６】
現金入出力部３０４は、現金入力部３０４Ａと現金出力部３０４Ｂとを含む。
【００７７】
現金入力部３０４Ａは、ユーザから現金を受け付ける。
【００７８】
また、現金入力部３０４Ａは、表示部３０７に選択要求が表示されている間に、ユーザから現金を受け付けると、受け付けた現金を現金格納部３０３に格納すると共に、受け付けた現金の金額を追加金額として、管理部３０２に出力する。
【００７９】
管理部３０２は、現金入力部３０４Ａから追加金額を受け付けると、受け付けた追加金額を給油後残金額に加えた追加後残金額を算出する。
【００８０】
例えば、給油後残金額が「５００円」であり、追加金額が「１０００円」である場合、追加後残金額は「１５００円」となる。
【００８１】
管理部３０２は、追加後残金額を算出すると、算出した追加後残金額を非接触書込部３０５に出力する。
【００８２】
非接触書込部３０５は、管理部３０２から追加後残金額を受け付けると、受け付けた追加後残金額を非接触プリペイドカード１に非接触で書き込むと共に、決済が完了した旨の決済完了情報を、管理部３０２に出力する。
【００８３】
また、ユーザ入力部３０７は、ユーザから払戻し指示を受け付けると、受け付けた払戻し指示を管理部３０２に出力する。
【００８４】
現金出力部３０４Ｂは、現金格納部３０３に格納された現金を出力する。
【００８５】
管理部３０２は、ユーザ入力部３０７から払戻し指示を受け付けると、現金格納部３０３から給油後残金額に相当する現金を、現金出力部３０４Ｂに出力させる。
【００８６】
現金出力部３０４Ｂは、現金格納部３０３から現金を出力すると共に、決済が完了した旨の決済完了情報を管理部３０２に出力する。
【００８７】
管理部３０２は、非接触書込部３０５あるいは現金出力部３０４Ｂから決済完了情報を受け付けると、非接触書込部３０５から受け付けた識別子および該識別子と関連づけられて記憶部２１０に記憶された給油後残金額を消去する旨の情報と、該識別子と、を関連づけた消去要求を、送受信部３０１に出力する。
【００８８】
送受信部３０１は、管理部３０２から消去要求を受け付けると、受け付けた消去要求を、給油端末装置２Ａないし２Ｃの端末送受信部２０９に、ローカルネットワーク網８を介して送信する。
【００８９】
端末送受信部２０９は、送受信部３０１からローカルネットワーク網８を介して消去要求を受け付けると、受け付けた消去要求を制御部２０２に出力する。
【００９０】
制御部２０２は、端末送受信部２０９から消去要求を受け付けると、受け付けた消去要求に含まれる識別子と、該識別子と関連づけられた給油後残金額と、を記憶部２１０から消去する。
【００９１】
確認部２１１は、制御部２０２にて設定された所定の時間後、設定された識別子が記憶部２１０に記憶されているか否かを確認する。
【００９２】
その識別子が記憶されていないと、確認部２１１は、動作を終了する。
【００９３】
一方、その識別子が記憶されていると、確認部２１１は、該識別子にて特定される非接触プリペイドカード１を保持するユーザが決算を行わずに給油所を立ち去った旨の情報と、該識別子と、を関連づけた非決済情報を制御部２０２に出力する。
【００９４】
制御部２０２は、確認部２１１から非決済情報を受け付けると、受け付けた非決済情報に含まれる識別子と関連づけられて記憶された給油後残金額を、記憶部２１０から取得し、取得した給油後残金額と、確認部２１１から受け付けた非決済情報に含まれる識別子と、を端末送受信部２０９に出力する。
【００９５】
端末送受信部２０９は、制御部２０２から互いに関連づけられた識別子と給油後残金額とを受け付けると、受け付けた識別子と給油後残金額と、をサーバ４にローカルネットワーク網８を介して出力する。
【００９６】
ネットワーク網９は、例えば、インターネットであり、サーバ４と他店舗サーバ５Ａないし５Ｃと相互に接続されている。
【００９７】
サーバ４は、給油端末装置２Ａないし２Ｃから識別子と給油後残金額とを受け付けると、受け付けた互いに関連づけられた識別子と給油後残金額と、を他店舗サーバ５Ａないし５Ｃにネットワーク網９を介して送信する。
【００９８】
他店舗サーバ５Ａないし５Ｃは、他の給油所に配置されたサーバである。
【００９９】
他店舗サーバ５Ａないし５Ｃは、サーバ４から識別子と給油後残金額とを受け付けると、受け付けた識別子と給油後残金額と、を各他店舗サーバに接続された他店舗給油端末装置６Aないし６Cに出力する。
【０１００】
他店舗給油端末装置６Aないし６Cは、他店舗サーバ５Ａないし５Ｃとそれぞれ接続されている。
【０１０１】
なお、他店舗給油端末装置６Aないし６Cの構成は、図２にて示した給油端末装置２Ａと同じの構成なので、他店舗給油端末装置６Aないし６Cの構成は、他店舗給油端末装置６Ａを例に、図２を用いて説明する。
【０１０２】
他店舗給油端末装置６Aの端末送受信部２０９は、他店舗サーバ５Ａから識別子と給油後残金額とを受け付ける。
【０１０３】
他店舗給油端末装置６Aの端末送受信部２０９は、受け付けた識別子と給油後残金額と、を他店舗給油端末装置６Aの記憶部２１０に出力する。
【０１０４】
他店舗給油端末装置６Aの記憶部２１０は、他店舗給油端末装置６Aの端末送受信部２０９から識別子と給油後残金額とを受け付けると、受け付けた互いに関連づけられた識別子と給油後残金額とを互いに関連づけて記憶する。
【０１０５】
他店舗チャージ装置７Ａないし７Ｃは、図３にて示したチャージ装置３Ａと同じ構成なので、他店舗チャージ装置７Ａないし７Ｃの構成は、他店舗チャージ装置７Ａを例に、図３を用いて説明する。
【０１０６】
他店舗チャージ装置７Aの非接触書込部３０５は、非接触プリペイドカード１から識別子を読み取ると、読み取った識別子を他店舗チャージ装置７Aの管理部３０２に出力する。
【０１０７】
他店舗チャージ装置７Ａの管理部３０２は、他店舗チャージ装置７Aの非接触書込部３０５から識別子を受け付けると、受け付けた識別子と関連づけられて記憶された給油後残金額を、他店舗給油装置６Ａの記憶部２１０から取得する。
【０１０８】
他店舗チャージ装置７Aの管理部３０２は、取得した給油後残金額を他店舗チャージ装置７Aの非接触書込部３０５に出力する。
【０１０９】
他店舗チャージ装置７Aの非接触書込部３０５は、他店舗チャージ装置７Aの管理部３０２から給油後残金額を受け付けると、受け付けた給油後残金額を非接触プリペイドカード１に書き込む。
【０１１０】
次に動作を説明する。
【０１１１】
図４は、本実施例の給油システムの動作を説明するためのフローチャートである。具体的には、給油端末装置２Ａないし２Ｃが非接触プリペイドカード１に記録された識別子を取得した際に、給油端末装置２Ａないし２Ｃが行う動作を説明するためのフローチャートである。
【０１１２】
なお、給油端末装置２Ａないし２Ｃの行う動作は、給油端末装置２Ａを例に説明する。
【０１１３】
ステップ４０１では、非接触読取部２０１は、非接触プリペイドカード１に記録された識別子を読み取り、読み取った識別子を制御部２０２に出力する。非接触読取部２０１がその識別子を制御部２０２に出力すると、制御部２０２は、ステップ４０２を実行する。
【０１１４】
ステップ４０２では、制御部２０２は、非接触読取部２０１から識別子を受け付ける。制御部２０２は、その識別子を受け付けると、ステップ４０３を実行する。
【０１１５】
ステップ４０３では、制御部２０２は、ユーザにパスワードの入力を要求する旨のパスワード入力要求を、端末表示部２０３に表示させる。制御部２０２がパスワード入力要求を表示させると、入力部２０４は、ステップ４０４を実行する。
【０１１６】
ステップ４０４では、入力部２０４は、ユーザからパスワードを受け付けると、受け付けたパスワードを制御部２０２に出力する。入力部２０４がパスワードに出力すると、制御部２０２は、ステップ４０５を実行する。
【０１１７】
ステップ４０５では、制御部２０２は、入力部２０４からパスワードを受け付ける。制御部２０２は、パスワードを受け付けると、ステップ４０６を実行する。
【０１１８】
ステップ４０６では、制御部２０２は、非接触読取部２０１から受け付けた識別子と関連づけられたパスワードを、認証情報記憶部２０５から取得する。制御部２０２は、そのパスワードを取得すると、ステップ４０７を実行する。
【０１１９】
ステップ４０７では、制御部２０２は、入力部２０４から受け付けたパスワードと、認証情報記憶部２０５から取得したパスワードと、が一致しているか否かの判断を行う。制御部２０２は、これらのパスワードが一致しているとステップ４０８を実行し、これらのパスワードが一致していないとステップ４０９を実行する。
【０１２０】
ステップ４０８では、制御部２０２は、非接触プリペイドカード１に記録された残金額を取得する旨の残金額取得要求を、非接触読取部２０１に出力する。制御部２０２が残金額取得要求を出力すると、非接触読取部２０１は、ステップ４１０を実行する。
【０１２１】
一方、ステップ４０９では、制御部２０２は、入力されたパスワードが間違っていた旨の認証不許可情報を、端末表示部２０３に表示させる。
【０１２２】
ステップ４１０では、非接触読取部２０１は、制御部２０２から残金額取得要求を受け付ける。非接触読取部２０１は、残金額取得要求を受け付けると、ステップ４１１を実行する。
【０１２３】
ステップ４１１では、非接触読取部２０１は、非接触プリペイドカード１に記録された残金額を全額引き落とす。具体的には、非接触読取部２０１は、非接触プリペイドカード１に記録された残金額を読み取り、その後、非接触プリペイドカード１に残金額として零を書き込む。
【０１２４】
非接触読取部２０１は、読み取った残金額を制御部２０２に出力する。非接触読取部２０１がステップ４１１を終了すると、制御部２０２は、ステップ４１２を実行する。
【０１２５】
ステップ４１２では、制御部２０２は、非接触読取部２０１から残金額を受け付けると、受け付けた残金額にて購買可能な可能給油量を算出する。制御部２０２は、可能給油量を算出すると、ステップ４１３を実行する。
【０１２６】
ステップ４１３では、制御部２０２は、算出した可能給油量を端末表示部２０３に表示させると共に、給油部２０６を給油可能な状態にする。制御部２０２がステップ４１３を終了すると、給油料金計算部２０７は、ステップ４１４を実行する。
【０１２７】
ステップ４１４では、給油料金計算部２０７は、給油部２０６にて給油された給油量に相当する給油料金を算出し、算出した給油料金を制御部２０２に出力する。給油料金計算部２０７がその給油料金を出力すると、制御部２０２は、ステップ４１５を実行する。
【０１２８】
ステップ４１５では、制御部２０２は、給油料金計算部２０７から給油料金を受け付ける。制御部２０２は、給油料金を受け付けると、ステップ４１６を実行する。
【０１２９】
ステップ４１６では、制御部２０２は、給油料金を記載した領収書兼レシートを、領収書発行部２０８に発行させる。制御部２０２は、ステップ４１６を終了すると、ステップ４１７を実行する。
【０１３０】
ステップ４１７では、制御部２０２は、残金額から給油料金を差し引いた給油後残金額を算出する。制御部２０２は、給油後残金額を算出すると、ステップ４１８を実行する。
【０１３１】
ステップ４１８では、制御部２０２は、非接触読取部２０１から受け付けた識別子が記憶部２１０に記憶されているか否かを，所定の時間が経過すると確認させる設定を、確認部２１１に行う。制御部２０２は、ステップ４１８を終了すると、ステップ４１９を実行する。
【０１３２】
ステップ４１９では、制御部２０２は、非接触読取部２０１から受け付けた識別子と、算出した給油後残金額と、を記憶部２１０に出力する。
【０１３３】
記憶部２１０は、制御部２０２から識別子と給油後残金額を受け付けると、受け付けた識別子と給油後残金額とを互いに関連づけて記憶する。
【０１３４】
図５は、本実施例の給油システムの動作を説明するためのフローチャートである。具体的には、給油料金の決済を行う動作を説明するためのフローチャートである。
【０１３５】
ステップ５０１では、非接触書込部３０５は、非接触プリペイドカード１にて記録された識別子を読み取り、読み取った識別子を管理部３０２に出力する。非接触書込部３０５がその識別子を出力すると、管理部３０２は、ステップ５０２を実行する。
【０１３６】
ステップ５０２では、管理部３０２は、非接触書込部３０５から識別子を受け付け、受け付けた識別子と関連づけられて、給油端末装置２Ａないし２Ｂの記憶部２１０にて記憶された給油後残金額を取得する旨の給油後残金額取得要求を、送受信部３０１に出力する。
【０１３７】
送受信部３０１は、管理部３０２から給油後残金額取得要求を受け付けると、受け付けた給油後残金額取得要求を、給油端末装置２Ａないし２Ｃの端末送受信部２０９に、ローカルネットワーク網８を介して送信する。
【０１３８】
送受信部３０１が給油後残金額得要求を送信すると、端末送受信部２０９は、ステップ５０３を実行する。
【０１３９】
ステップ５０３では、端末送受信部２０９は、送受信部３０１からローカルネットワーク網８を介して給油後残金額取得要求を受け付けると、受け付けた給油後残金額取得要求を制御部２０２に出力する。
【０１４０】
制御部２０２は、端末送受信部２０９から給油後残金額取得要求を受け付けると、受け付けた給油後残金額取得要求が示す給油後残金額を記憶部２１０から取得する。
【０１４１】
制御部２０２は、給油後残金額を取得すると、ステップ５０４を実行する。
【０１４２】
ステップ５０４では、制御部２０２は、記憶部２１０から取得した給油後残金額を端末送受信部２０９に出力する。
【０１４３】
端末送受信部２０９は、制御部２０２から給油後残金額を受け付けると、受け付けた給油後残金額を、チャージ装置３Ａの送受信部３０１に、ローカルネットワーク網８を介して送信する。端末送受信部２０９がステップ５０４を終了すると、送受信部３０１は、ステップ５０５を実行する。
ステップ５０５では、送受信部３０１は、端末送受信部２０９からローカルネットワーク網８を介して給油後残金額を受け付けると、受け付けた給油後残金額を管理部３０２に出力する。
【０１４４】
管理部３０２は、送受信部３０１から油後残金額を受け付ける。管理部３０２は、給油後残金額を受け付けると、ステップ５０６を実行する。
【０１４５】
ステップ５０６では、管理部３０２は、給油後残金額を非接触プリペイドカード１に書き込ませる旨の書込み指示、あるいは、給油後残金額に相当する現金を払い戻す旨の払戻し指示、のどちらか一方の選択をユーザに要求する旨の選択要求を、表示部３０６に表示させる。管理部３０２は、ステップ５０６を終了すると、ステップ５０７を実行する。
【０１４６】
ステップ５０７では、管理部３０２は、ユーザ入力部３０７が書込み指示を受け付けたか否かを確認する。
【０１４７】
管理部３０２は、ユーザ入力部３０７が書込み指示を受け付けるとステップ５０８を実行し、ユーザ入力部３０７が書込み指示を受け付けないとステップ５１７を実行する。
【０１４８】
ステップ５０８では、管理部３０２は、非接触プリペイドカード１に書き込ませる給油後残金額に金額を追加するか否かの判断をユーザに要求する旨の追加判断要求を、表示部３０６に表示させる。管理部３０２は、ステップ５０８を終了すると、ステップ５０９を実行する。
【０１４９】
ステップ５０９では、管理部３０２は、ユーザ入力部３０７が非接触プリペイドカード１に給油後残金額に金額を追加しない旨の非追加情報を、ユーザから受け付けたか否かを確認する。管理部３０２は、ユーザ入力部３０７が非追加情報を受け付けるとステップ５１０を実行し、ユーザ入力部３０７が非追加情報を受け付けないとステップ５１２を実行する。
ステップ５１０では、管理部３０２は、非接触書込部３０５に給油後残金額を出力する。
【０１５０】
非接触書込部３０５は、管理部３０２から給油後残金額を受け付けると、受け付けた給油後残金額を非接触プリペイドカード１に書き込むと共に、決済が完了した旨の決済完了情報を、管理部３０２に出力する。非接触書込部３０５は、決算完了情報を出力すると、管理部３０２は、ステップ５１１を実行する。
【０１５１】
ステップ５１１では、管理部３０２は、非接触書込部３０５から決済完了情報を受け付ける。管理部３０２は、決済完了情報を受け付けると、ステップ５２０を実行する。
【０１５２】
ステップ５１２では、管理部３０２は、現金入出力部３０４がユーザから現金を受け付けたか否かを確認する。現金入出力部３０４が現金を受け付けると、現金入出力部３０４がステップ５１３を実行し、現金入出力部３０４が現金を受け付けないと、管理部３０２がステップ５０９を実行する。
【０１５３】
ステップ５１３では、現金入出力部３０４は、ユーザから受け付けた現金を現金格納部３０３に格納すると共に、受け付けた現金の金額を追加金額として、管理部３０２に出力する。
【０１５４】
管理部３０２は、現金入出力部３０４から追加金額を受け付ける。管理部３０２は、追加金額を受け付けると、ステップ５１４を実行する。
【０１５５】
ステップ５１４では、管理部３０２は、現金入出力部３０４から受け付けた追加金額を給油後残金額に加えた追加後残金額を算出する。管理部３０２は、追加後残金額を算出すると、ステップ５１５を実行する。
【０１５６】
ステップ５１５では、管理部３０２は、算出した追加後残金額を非接触書込部３０５に出力する。
【０１５７】
非接触書込部３０５は、管理部３０２から追加後残金額を受け付けると、受け付けた追加後残金額を非接触プリペイドカード１に書き込むと共に、決済が完了した旨の決済完了情報を管理部３０２に出力する。非接触書込部３０５がステップ５１５を終了すると、管理部３０２は、ステップ５１６を実行する。
【０１５８】
ステップ５１６では、管理部３０２は、非接触書込部３０５から決済完了情報を受け付ける。管理部３０２は、決済完了情報を受け付けると、ステップ５２０実行する。
【０１５９】
ステップ５１７では、管理部３０２は、ユーザ入力部３０７が払戻し指示を受け付けたか否かを確認する。管理部３０２は、ユーザ入力部３０７が払戻し指示を受け付けるとステップ５１８を実行し、ユーザ入力部３０７が払戻し指示を受け付けないとステップ５０７を実行する。
【０１６０】
ステップ５１８では、管理部３０２は、現金格納部３０３から給油後残金額に相当する現金を現金出力部３０４Ｂに出力させる。
【０１６１】
現金出力部３０４Ｂは、現金格納部３０３から現金を出力すると共に、決済が完了した旨の決済完了情報を管理部３０２に出力する。
【０１６２】
現金出力部３０４Ｂがステップ５１８を終了すると、管理部３０２は、ステップ５１９を実行する。
【０１６３】
ステップ５１９では、管理部３０２は、非接触書込部３０５から決済完了情報を受け付ける。管理部３０２は、決済完了情報を受け付けると、ステップ５２０を実行する。
【０１６４】
ステップ５２０では、管理部３０２は、非接触書込部３０５から受け付けた識別子および該識別子と関連づけられて記憶部２１０に記憶された給油後残金額を消去する旨の情報と、該識別子と、を関連づけた消去要求を、送受信部３０１に出力する。
【０１６５】
送受信部３０１は、管理部３０２から消去要求を受け付けると、受け付けた消去要求を、給油端末装置２Ａないし２Ｃの端末送受信部２０９に、ローカルネットワーク網８を介して送信する。送信部３０１が消去要求を送信すると、端末送受信部２０９は、ステップ５２５を実行する。
ステップ５２１では、端末送受信部２０９は、送受信部３０１からローカルネットワーク網８を介して消去要求を受け付けると、受け付けた消去要求を制御部２０２に出力する。
【０１６６】
制御部２０２は、端末送受信部２０９から消去要求を受け付けると、受け付けた消去要求に含まれる識別子と、該識別子と関連づけられた給油後残金額と、を記憶部２１０から消去する。
【０１６７】
図６は、本実施例の給油システムの動作を説明するためのフローチャートである。具体的には、確認部２１１が、記憶部２１０に識別子が記憶されているか否かを確認した際に、給油システムが行う動作を説明するためのフローチャートである。
【０１６８】
ステップ６０１では、確認部２１１は、制御部２０２にて設定された所定の時間後、動作を開始する。確認部２１１は、動作を開始すると、ステップ６０２を実行する。
【０１６９】
ステップ６０２では、確認部２１１は、制御部２０２が非接触読取部２０１から受け付けた識別子が、記憶部２１０に記憶されているか否かを確認する。確認部２１１は、その識別子が記憶されているとステップ６０３を実行し、その識別子が記憶されていないとステップ６０４を実行する。
【０１７０】
ステップ６０３では、確認部２１１は、該識別子にて特定される非接触プリペイドカード１を保持するユーザが決算を行わずに給油所を立ち去った旨の情報と、該識別子と、を関連づけた非決済情報を制御部２０２に出力する。
【０１７１】
確認部２１１が非決済情報を出力すると、制御部２０２は、ステップ６０５を実行する。
【０１７２】
一方、ステップ６０４では、確認部２１１は、動作を終了する。
【０１７３】
ステップ６０５では、制御部２０２は、確認部２１１から非決済情報を受け付ける。制御部２０２は、ステップ６０５を終了すると、ステップ６０６を実行する。
【０１７４】
ステップ６０６では、制御部２０２は、受け付けた非決済情報に含まれる識別子と関連づけられて記憶された給油後残金額を記憶部２１０から取得し、取得した給油後残金額と、確認部２１１から受け付けた非決済情報に含まれる識別子と、を端末送受信部２０９に出力する。
【０１７５】
制御部２０２が識別子と給油後残金額とを出力すると、端末送受信部２０９は、ステップ６０７を実行する。
【０１７６】
ステップ６０７では、端末送受信部２０９は、制御部２０２から識別子と給油後残金額とを受け付け、受け付けた識別子と給油後残金額とを、ローカルネットワーク網８を介してサーバ４に出力する。端末送受信部２０９が識別子と給油後残金額とを出力すると、サーバ４は、ステップ６０８を実行する。
【０１７７】
ステップ６０８では、サーバ４は、端末送受信部２０９から識別子と給油後残金額とを受け付け、受け付けた識別子と給油後残金額と、を他店舗サーバ５Ａないし５Ｃにネットワーク網９を介して送信する。サーバ４が識別子と給油後残金額とを送信すると、他店舗サーバ５Ａないし５Ｃは、ステップ６０９を実行する。
【０１７８】
ステップ６０９では、他店舗サーバ５Ａないし５Ｃは、サーバ４から識別子と給油後残金額とを受け付け、受け付けた識別子と給油後残金額と、を他店舗サーバ５Ａないし５Ｃにそれぞれ接続された他店舗給油端末装置６Aないし６Cに出力する。他店舗サーバ５Ａないし５Ｃが識別子と給油後残金額とを出力すると、他店舗給油端末装置６Aないし６Cは、ステップ６１０を実行する。
【０１７９】
以下では、他店舗給油装置６Ａを例に説明する。
【０１８０】
ステップ６１０では、他店舗給油端末装置６Aの端末送受信部２０９は、他店舗サーバ５Ａから識別子と給油後残金額とを受け付け、受け付けた識別子と給油後残金額と、を他店舗給油端末装置６Aの記憶部２１０に出力する。
【０１８１】
他店舗給油端末装置６Aの記憶部２１０は、他店舗給油端末装置６Ａの端末送受信部２０９から、識別子と給油後残金額とを受け付けると、受け付けた識別子と給油後残金額とを互いに関連づけて記憶する。他店舗給油端末装置６Aの記憶部２１０がステップ６１０を終了すると、他店舗チャージ装置７Ａの非接触書込み部３０５は、ステップ６１１を実行する。
【０１８２】
ステップ６１１では、他店舗チャージ装置７Aの非接触書込部３０５は、非接触プリペイドカード１から識別子を読み取り、読み取った識別子を他店舗チャージ装置７Aの管理部３０２に出力する。
【０１８３】
他店舗チャージ装置の管理部３０２は、他店舗チャージ装置７Aの非接触書込部３０５から識別子を受け付けると、受け付けた識別子と関連づけられて記憶された給油後残金額を、他店舗給油装置６Ａの記憶部２１０から取得する。他店舗チャージ装置の管理部３０２は、給油後残金額を取得すると、ステップ６１２を実行する。
【０１８４】
ステップ６１２では、他店舗チャージ装置７Aの管理部３０２は、取得した給油後残金額を他店舗チャージ装置７Aの非接触書込部３０５に出力する。
【０１８５】
他店舗チャージ装置７Aの非接触書込部３０５は、他店舗チャージ装置７Aの管理部３０２から給油後残金額を受け付けると、受け付けた給油後残金額を非接触プリペイドカード１に書き込む。
【０１８６】
本実施例によれば、非接触読取部２０１は、自己を特定するための識別子と残金額とを記録している記録媒体から、識別子を読み取る。非接触読取部２０１は、制御部２０２から残金額取得要求を受け付けると、非接触プリペイドカード１に記録された残金額を読み取り、その後、非接触プリペイドカード１に残金額として零を書き込む。
【０１８７】
制御部２０２は、非接触読取部２０１が非接触プリペイドカード１に零を書き込むと、給油部２０６を給油可能な状態にする。給油が完了すると、制御部２０２は、残金額から給油料金を差し引いた給油後残金額を算出する。
【０１８８】
管理部３０２は、非接触書込部３０５が非接触プリペイドカードから読み取った識別子を受け付けると、受け付けた識別子と関連づけられて記憶された給油後残金額を記憶部２１０から取得し、取得した給油後残金額を非接触書込部３０５に出力する。
【０１８９】
非接触書込部３０５は、管理部３０２から給油後残金額を受け付けると、受け付けた給油後残金額を非接触で非接触プリペイドカード１に書き込む。
【０１９０】
これにより、給油開始前に、記録媒体に記録された残金額が零になり、給油完了後に、給油後残金額が記録媒体に記録される。したがって、給油所にて販売される油の盗難が防止できる。
【０１９１】
また、本実施例では、管理部３０２は、ユーザ入力部３０７から払戻し指示を受け付けると、現金格納部３０３から給油後残金額に相当する現金を現金出力部３０４Ｂに出力させる。
【０１９２】
これにより、給油後残金額に相当する現金が出力される。これにより、ユーザは、給油後に、給油後残金額に相当する現金を受け取ることが可能になる。
【０１９３】
また、本実施例では、管理部３０２は、非接触プリペイドカード１に追加金額を書き込ませるか否かの判断をユーザに要求する旨の追加判断要求を、給油後残金額と共に表示部３０６に表示させる。
【０１９４】
現金入力部３０４Ａは、表示部３０７に選択要求が表示されている間に、ユーザから現金を受け付けると、受け付けた現金の金額を追加金額として管理部３０２に出力する。
【０１９５】
管理部３０２は、現金入力部３０４Ａから追加金額を受け付けると、受け付けた追加金額を給油後残金額に加えた追加後残金額を算出し、算出した追加後残金額を非接触書込部３０５に出力する。非接触書込部３０５は、管理部３０２から追加後残金額を受け付けると、受け付けた追加後残金額を非接触プリペイドカード１に非接触で書き込む。
【０１９６】
これにより、現金の金額に給油後残金額を加えた追加後残金額が、非接触プリペイドカード１に非接触で書き込まれる。よって、ユーザは、非接触プリペイドカード１に記録されている残金額にチャージ装置３Ａあるいはチャージ装置３Ｂに入れた現金の金額を追加し、追加した金額を非接触プリペイドカード１に非接触で書き込ませることが可能になる。
【０１９７】
また、本実施例では、確認部２１１は、管理部３０２にて設定された所定の時間後、管理部３０２は、送受信部３０１から受け付けた識別子が記憶部２１０に記憶されているか否かを確認する。その識別子が記憶されていると、確認部２１１は、該識別子にて特定される非接触プリペイドカード１を保持するユーザが決算を行わずに給油所を立ち去った旨の情報と、該識別子と、を関連づけた非決済情報を管理部３０２に出力する。
【０１９８】
管理部３０２は、確認部２１１から非決済情報を受け付けると、受け付けた非決済情報に含まれる識別子と関連づけられて記憶された給油後残金額を、記憶部２１０から取得し、取得した給油後残金額と、確認部２１１から受け付けた非決済情報に含まれる識別子と、を送受信部３０１とローカルネットワーク網８とサーバ４とネットワーク網９と他店舗サーバ５Ａないし５Ｃを介して他店舗給油端末装置６Ａないし６Ｃに出力する。
【０１９９】
他店舗給油端末装置６Ａないし６Ｃの記憶部２１０は、管理部３０２から識別子と給油後残金額とを受け付けると、受け付けた識別子と給油後残金額と、を互いに関連づけて記憶する。
【０２００】
他店舗チャージ装置７Aの非接触書込部３０５は、非接触プリペイドカード１から識別子を読み取ると、読み取った識別子を他店舗チャージ装置７Aの管理部３０２に出力する。
【０２０１】
他店舗チャージ装置７Ａの管理部３０２は、他店舗チャージ装置７Aの非接触書込部３０５から識別子を受け付けると、受け付けた識別子と関連づけられて記憶された給油後残金額を、他店舗給油装置６Ａの記憶部２１０から取得する。他店舗チャージ装置７Aの管理部３０２は、取得した給油後残金額を他店舗チャージ装置７Aの非接触書込部３０５に出力する。
【０２０２】
他店舗チャージ装置７Aの非接触書込部３０５は、他店舗チャージ装置７Aの管理部３０２から給油後残金額を受け付けると、受け付けた給油後残金額を非接触プリペイドカード１に書き込む。
【０２０３】
これにより、所定の時間が経過後、決済が行われていないと、識別子と給油後残金額とが、互いに関連づけられて他店舗給油装置７Ａないし７Ｃに記憶される。他店舗決済装置７Ａないし７Ｃにて識別子が読み取られると、読み取られた識別子と関連づけられた給油後残金額が記録媒体に書き込まれる。よって、ユーザが決済を行わずに給油所を立ち去った場合、ユーザは、その後、他の給油所に立ち寄った際に、給油後残金額を記録媒体に書き込ませることできる。したがって、ユーザが決済を行わずに給油所を立ち去った場合、後に、他の給油所でも決済が可能になる。
【０２０４】
以上説明した実施例において、図示した構成は単なる一例であって、本発明はその構成に限定されるものではない。
【図面の簡単な説明】
【０２０５】
【図１】本発明の一実施例の給油システムを示したブロック図である。
【図２】給油端末装置の構成の一例を示したブロック図である。
【図３】チャージ装置の構成の一例を示したブロック図である。
【図４】給油システムの動作の一例を説明するためのフローチャートである。
【図５】給油システムの動作の一例を説明するためのフローチャートである。
【図６】給油システムの動作の一例を説明するためのフローチャートである。
【符号の説明】
【０２０６】
１      非接触プリペイドカード
２Ａ    給油端末装置
２Ｂ    給油端末装置
２Ｃ    給油端末装置
３Ａ    チャージ装置
３Ｂ    チャージ装置
４      サーバ
５Ａ    他店舗サーバ
５Ｂ    他店舗サーバ
５Ｃ    他店舗サーバ
６Ａ    他店舗給油端末装置
６Ｂ    他店舗給油端末装置
６Ｃ    他店舗給油端末装置
７Ａ    他店舗チャージ装置
７Ｂ    他店舗チャージ装置
７Ｃ    他店舗チャージ装置
８      ローカルネットワーク網
９      ネットワーク網
２０１  非接触読取部
２０２  制御部
２０３  端末表示部
２０４  入力部
２０５  認証情報記憶部
２０６  給油部
２０７  給油料金計算部
２０８  領収書発行部
２０９  端末送受信部
２１０  記憶部
２１１  確認部
３０１  送受信部
３０２  管理部
３０３  現金格納部
３０４  現金入出力部
３０４Ａ       現金入力部
３０４Ｂ       現金出力部
３０５  非接触書込部
３０６  表示部
３０７  ユーザ入力部
【図１】
2006331099.tif 000003
【図２】
2006331099.tif 000004
【図３】
2006331099.tif 000005
【図４】
2006331099.tif 000006
【図５】
2006331099.tif 000007
【図６】
2006331099.tif 000008